(57)【要約】【課題】人工肛門、人工膀胱に取り付けるストーマ袋に、簡単に失敗なく穴があけられる用具を提供する。【解決手段】本体３と、ホルダー２からなり、本体３は、合成樹脂等の円盤状で、先端部分には板面付きストーマ袋の開口部を通りやすくするため表裏に半月形に斜面を付け、後方部分にはホルダーを挿入するためのホルダー接合穴を備え、ホルダーはＬ字形に折り曲げた棒状で、ホルダー２を本体３のホルダー接合穴に挿入して、板面付ストーマ袋に使用できるようにしたことを特徴とする穴あけ用打抜き台。【選択図】図１
0003178182.tif 000002
【実用新案登録請求の範囲】
【請求項１】
本体３と、ホルダー２からなり、本体３は、合成樹脂等の円盤状で、先端部分には平型板面付きストーマ袋の開口部６３を通りやすくするため表裏に半月形の斜面である半月形斜面部３３を備え、後方部分にはホルダーを挿入するためのホルダー接合穴３１を一つ備え、ホルダーはＬ字形に折り曲げた棒状で、ホルダー２を本体３のホルダー接合穴３１に差し込んで、平型板面付ストーマ袋に挿入して、打抜き台として使用できるようにしたことを特徴とする平型板面用穴あけ用打抜き台。
【請求項２】
本体３と、ホルダー２からなり、本体３は、合成樹脂等の円盤状で、先端部分には皿型板面付きストーマ袋の開口部６３を通りやすくするため表裏に半月形で斜面である半月形斜面部３３を備え、後方部分にはホルダーを挿入するためのホルダー接合穴３２を二つ備え、ホルダーはＬ字形に折り曲げた棒状で、ホルダー２を本体３の二つのホルダー接合穴３２の一つを選んで挿入して、本体３の表面が皿型板面の裏面にぴったりと密着するようにしたこと特徴とする皿型板面用穴あけ用打抜き台。
【考案の詳細な説明】
【技術分野】
【０００１】肛門や膀胱が疾病のため機能しなくなったとき、排泄用の肛門や膀胱を人為的に体外に誘導し、人工肛門、人工膀胱を日常生活上、身体の一部として装着する必要があるストーマ袋に穴をあける打抜き台に関する。
【背景技術】
【０００２】肛門や膀胱が疾病のため機能しなくなったとき、排泄用の肛門や膀胱を人為的に体外に誘導し、人工肛門や人工膀胱となるストーマ袋の表面にあるアメゴム状の板面に、個人差のある腸や、尿路の大きさに合わせて穴をあける必要がある。従来は、ストーマ袋の板面にすでにあけられている直径１０ｍｍから１５ｍｍ位のガイド穴にハサミを入れて、熟練した看護士等が個々の患者に合った丸い穴をあけていた。穴をあけるのに時間を要していた。又、ハサミによる切り口は、体外に誘導した臓器に炎症を引き起こす一因にもなっていた。
【考案の概要】
【考案が解決しようとする課題】
【０００３】通常、丸型パンチで穴をあけると表面の板面のゴムと、裏面の袋の生地を一緒に打抜いてしまうことになり、袋に排泄物を溜められなくなり役に立たなくなってしまう。
【課題を解決しようとする手段】
【０００４】本体３と、ホルダー２からなり、本体３は、合成樹脂等の円盤状で、先端部分には平型板面付きストーマ袋の開口部６３を通りやすくするため表裏に半月形の斜面である半月形斜面部３３を備え、後方部分にはホルダーを挿入するためのホルダー接合穴３１を一つ備え、ホルダーはＬ字形に折り曲げた棒状で、ホルダー２を本体３のホルダー接合穴３１に差し込んで、平型板面付ストーマ袋に挿入して、打抜き台として使用できるようにしたことを特徴とする平型板面用穴あけ用打抜き台。
【０００５】本体３と、ホルダー２からなり、本体３は、合成樹脂等の円盤状で、先端部分には皿型板面付きストーマ袋の開口部６３を通りやすくするため表裏に半月形で斜面である半月形斜面部３３を備え、後方部分にはホルダーを挿入するためのホルダー接合穴３２を二つ備え、ホルダーはＬ字形に折り曲げた棒状で、ホルダー２を本体３の二つのホルダー接合穴３２の一つを選んで挿入して、本体３の表面が皿型板面の裏面にぴったりと密着するようにしたこと特徴とする皿型板面用穴あけ用打抜き台。
【考案の効果】
【０００６】替刃ポンチを取り付けたプレス等でストーマ袋の板面に穴を打ち抜くときに、本考案のストーマ袋の穴あけ用打抜き台を下敷きとして使用することにより、正確、美麗且つ迅速に穴をあけることが出来る。
【図面の簡単な説明】
【０００７】
【図１】  本考案のストーマ袋の穴あけ用打抜き台と、それを平型板面付ストーマ袋に挿入した構成（実施例１）  （ａ）打抜き台の側面図  （ｂ）穴あけ用打抜き台を平型板面付ストーマ袋に挿入した構成（平面図）  （ｃ）（ｂ）の断面図
【図２】  本考案のストーマ袋の穴あけ用打抜き台と、それを皿型板面付ストーマ袋に挿入した構成（実施例２）  （ａ）打抜き台の側面図  （ｂ）穴あけ用打抜き台を皿型板面付ストーマ袋に挿入した構成（平面図）  （ｃ）（ｂ）の断面図
【図３】  本考案のストーマ袋の穴あけの使用実態
【図４】  ストーマ袋の構成
【考案を実施するための形態】
【０００８】肛門や膀胱が疾病のため機能しなくなったとき、排泄用の肛門や膀胱を人為的に体外に誘導し、人工肛門や人工膀胱となるストーマ袋の表面にあるアメゴム状の板面に、個人差のある腸や、尿路の大きさに合わせて穴をあける必要がある。
【０００９】図４は、ストーマ袋の構成を示す。ストーマ袋６は瓢箪型で、開口部を有した薄い合成樹脂製の袋であり、奥の部分の上面に平型または皿型のアメゴム状の板面を備えている。
その板面に本考案の穴あけ用打抜き台を使用して、人工肛門、人工膀胱に合った円形の穴をあけるものである。
【００１０】人工肛門や人工膀胱に取り付けるストーマ袋６の、ゴムの板面６２に穴を明けるとき、本体６１の開口部６３から、本考案の樹脂製の穴あけ用打抜き台１を板面６２の下あたりまで差し込む。
製作時に、ハサミで切り込むためにあらかじめ板面６２にあけられている穴を通して樹脂製のガイドピン５を、穴あけ用打抜き台１の中央に立てる。
これはハンドプレスの本体８１にセットされている替刃ポンチ８２のセンターがずれない為のものである。
【００１１】ストーマ袋の板面は平型板面と皿型板面の２種類がある。平型板面は、腸の出っ張りが少ない人には平型板面を使用し、腸の出っ張りが多い人には皿型板面を使用する。
ストーマ袋の板面が、図１では平型板面の場合を実施例１として、図２では皿型板面の場合を実施例２として示す。
【００１２】図１は、本考案のストーマ袋の穴あけ用打抜き台と、それを平型板面付ストーマ袋に挿入した構成（実施例１）を示す。
ストーマ袋が平型板面付で、穴あけ用打抜き台のホルダー用接続穴が一つの場合である。
（ａ）に示すように、平型板面用穴あけ用打抜き台１１は、本体３と、ホルダー２からなる。本体３は、合成樹脂等の円盤状で、後方の側面にホルダー用接合穴３１を一つ備えている。
平型板面６２１の打抜きには、平型板面用穴あけ用打抜き台１１を使用し、その先端部分には表裏に半月形の斜面である半月形斜面部３３を設け、袋の開口部６３を通りやすくしている。
後方部分には深さ１０ｍｍ直径３ｍｍの穴をあけてホルダー接合穴３１とし、Ｌ字形に３０ｍｍ曲げたステンレス製の直径３ｍｍのホルダー２を突き入れる。
（ｂ）は平型板面付ストーマ袋６１１に平型板面用穴あけ用打抜き台１１を挿入した構成（平面図）である。（ｃ）は（ｂ）の断面図を示す。
【００１３】図２は、本考案のストーマ袋の穴あけ用打抜き台と、それを皿型板面付ストーマ袋に挿入した構成（実施例２）を示す。
ストーマ袋が皿型板面付で、穴あけ用打抜き台のホルダー用接続穴が二つの場合である。
（ａ）は、皿型板面用打抜き台の側面図、（ｂ）はストーマ袋に皿型平板打抜き台を挿入した構成（平面図）（ｃ）は（ｂ）の断面図を示す。
本体３の後方部分には深さ１０ｍｍ直径３ｍｍの二つの穴をあけてホルダー接合穴３２とし、Ｌ字形に３０ｍｍ曲げたステンレス製の直径３ｍｍのホルダー２を、ホルダー用接続穴のどちらかに突き入れて、開口部６３から差し込む。接合部は棒を穴に強く入れるだけで接着剤は使用しない。これだけで、自由に廻るがよほど強く引っ張らない限り抜けることはない。皿型板面の内側には、堅い樹脂製の円形枠７が接着されている。その堅い樹脂製の円形の枠の高さは５ｍｍ以内、直径は３０ｍｍから４５ｍｍ位の数種類がある。
ホルダー２がこの枠に当たらずに皿型板面用打抜き台１２がスッポリ皿面に納まる必要がある。
皿型板面用穴あけ台は厚さ１０ｍｍにし、後方部上下左右に斜めに少しずらして２ヵ所のホルダー用接合穴３２をあけておく。打抜き台１２の表面が傷んで来ると差込み口を変えて表裏反転させて使用できる。
【００１４】図３は、本考案のストーマ袋の穴あけの使用実態である。
ストーマ袋の穴あけ用に使用するハンドプレス８は加圧能力５００ｋｇを有し、Ｌ字型の土台８４と本体８１と加圧用のハンドル８３を備えている。
ストーマ袋の開口部６３に考案の穴あけ用打抜き台１を板面６２の中心付近まで差し込んで、円柱状のガイドピン５を立て、そのガイドピン５がハンドプレス８に取り付けた替刃ポンチ８２の刃の内側から外れない位置に来るようにハンドプレスの土台８４の上にセットし、ハンドル８３を手前に引き下ろしてストーマ袋に穴をあける。
【産業上の利用可能性】
【００１５】従来は熟練の看護士等に頼っていたストーマ袋の穴あけ作業が、病院に限らず地方の診療所でも患者宅でも行えるようになり、大いに世の中の役に立つことになる。
【符号の説明】
【００１６】１  穴あけ用打抜き台
１１  平型板面用穴あけ用打抜き台
１２  皿形板面用穴あけ用打抜き台
２  ホルダー
３  本体
３１  ホルダー用接合穴
３２  ホルダー用接合穴
３３  半月形斜面部
４  ガイド穴
５  ガイドピン
６  ストーマ袋
６１  本体
６１１  平型板面付ストーマ袋
６１２  皿型板面付ストーマ袋
６２  板面
６２１  平型板面
６２２  皿形板面
６３  開口部
７  堅い樹脂製の円形枠
８  ハンドプレス
８１  本体
８２  替刃ポンチ
８３  ハンドル
８４  土台
【図１】
0003178182.tif 000003
【図２】
0003178182.tif 000004
【図３】
0003178182.tif 000005
【図４】
0003178182.tif 000006